Podtech/llm-jp-corpus-v4-ja_patent huggingface dataset:
【手続補正書】
【提出日】令和1年7月16日(2019.7.16)
【手続補正１】
【補正対象書類名】明細書
【補正対象項目名】００３２
【補正方法】変更
【補正の内容】
【００３２】
そして、栓体４０は、リング部７３が挿通孔２９の孔縁部２９Ａとボス部５５の上面に当たることでカバープレート２０の裏面（後面）から落下することが阻止される。また、カバープレート２０は、ボス部５５の軸線方向に沿って移動可能に取り付けられた状態となる。また、ボス部５５と挿通孔２９との間、並びに位置決めピン５７とピン挿通孔３１との間にはクリアランスが設けられていることで、栓体４０は上下左右の全方位において移動可能な状態で保持されることになる。
【手続補正２】
【補正対象書類名】明細書
【補正対象項目名】００４５
【補正方法】変更
【補正の内容】
【００４５】
（８）上記実施形態では、嵌合部４１よりも外形寸法が大きい平板部５１が設けられていたが、平板部の外形寸法は、嵌合部４１と同じ寸法もしくは小さい寸法となっていても良い。栓体の上面の下端位置が、開口部９１の上端面よりも上方に位置するようになっていれば良い。
【手続補正書】
【提出日】令和1年8月2日(2019.8.2)
【手続補正１】
【補正対象書類名】明細書
【補正対象項目名】００２１
【補正方法】変更
【補正の内容】
【００２１】
また、保護部材用の絶縁プロテクタ４０Ｂには、図３に示されるように、保護部材としての、リレー４６、電流検出器４７、およびヒューズ４８等が取り付けられている。また、絶縁プロテクタ４０Ｂは、ＥＣＵ等に接続されるコネクタ６０が接続されるコネクタソケット４９が取り付けられている。
【手続補正２】
【補正対象書類名】明細書
【補正対象項目名】００４２
【補正方法】変更
【補正の内容】
【００４２】
その際、配線部材としての、モジュール間バスバー（４、５）、出力バスバー（２、３）、および電圧検知線６を、複数のユニット配策溝（２１Ａ，２１Ｂ）を介して、二個（複数）のユニットベースプレート２０上において自在に配策させることができる。
また、出力バスバー（２、３）、モジュール間バスバー（４、５）、および電圧検知線６を、隣接するユニットベースプレート２０間、あるいはユニットベースプレート２０と補助ベースプレート３０との間をまたぐ部材として、各プレートを接合した後に配策できる。それによって、各プレート間をコネクタ接続したり、ボルト締結したりする工程を省略できる、それによって、工程数を削減したり、プレート間の接続部品を削減したりできる。また、ベースプレート（２０、３０）内で配線を行うことができるため、配線のためのスペースを削減できる。
【手続補正３】
【補正対象書類名】明細書
【補正対象項目名】００４６
【補正方法】変更
【補正の内容】
【００４６】
また、蓄電モジュール５０の保護部材が搭載される補助ベースプレート３０は、配線部材を、配線部材の配策方向を変更可能に配策させる複数の補助配策溝（３１Ａ、３１Ｂ）と、各辺に形成された補助結合部（３２、３３）であって、補助ベースプレート３０をユニットベースプレート２０のユニット結合部（２２、２３）に接続する補助結合部（３２、３３）と、を有する。そのため、ベースプレート構造１０に補助ベースプレート３０が含まれる場合であっても、補助ベースプレート３０をユニットベースプレート２０に結合させる箇所が、ユニットベースプレート２０の所定の辺に固定されないため、汎用性のある蓄電パックのベースプレート構造１０を構成することができる。
【手続補正書】
【提出日】令和1年9月9日(2019.9.9)
【手続補正１】
【補正対象書類名】明細書
【補正対象項目名】００４６
【補正方法】変更
【補正の内容】
【００４６】
低周波数ｆL、高周波数ｆHそれぞれにおけるインピーダンスの絶対値Ｒ1、Ｒ2、および位相θ2を、以下の数式Ｆ２、Ｆ３に適用して、低周波数ｆLにおけるインピーダンス中のガス反応抵抗Ｒctの特性を示す成分を算出する。
φ＝ｔａｎ-1［（Ｒ2ｓｉｎθ2）／｛（Ｒ2ｃｏｓθ2）−Ｒmem｝］…（Ｆ２）
Ａ＝（Ｒ2ｓｉｎθ2）／（ｓｉｎφ）…（Ｆ３）
【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
下記組成式（１）で表され、
Ｌｉ１＋ｘＮｂｙＦｅａＭｎｂＡｃＯ２―ｄＦｄ      （１）
ＡはＢｅ、Ｍｇ、Ｃａ、Ｓｒ、Ｂａ、Ｒａ、Ｓｃ、Ｙ、Ｔｉ、Ｚｒ、Ａｌから選択され、
ｘは、０＜ｘ＜１を満足し、
ｙは、０＜ｙ＜０．５を満足し、
ａ及びｂは、０．２５≦ａ＋ｂ＜１、０≦ａ＜１、０≦ｂ＜１を満足し、
ｃは、０≦ｃ≦０．２を満足し、
ｄは、０≦ｄ≦０．２を満足し、
ｙ、ａ及びｂは、０．８≦２ｙ＋ａ＋ｂ≦１．２を満足し、
ただし、ｃ及びｄは同時に０ではないことを特徴とする正極活物質。
【請求項２】
前記組成式（１）が下記組成式（１−１）で表され、
Ｌｉ１＋ｘＮｂｙＦｅａＭｎｂＡｃＯ２      （１−１）
ＡはＢｅ、Ｍｇ、Ｃａ、Ｓｒ、Ｂａ、Ｒａ、Ｓｃ、Ｙ、Ｔｉ、Ｚｒ、Ａｌから選択され、
ｘは、０＜ｘ＜１を満足し、
ｙは、０＜ｙ＜０．５を満足し、
ａ及びｂは、０．２５≦ａ＋ｂ＜１、０≦ａ＜１、０≦ｂ＜１を満足し、
ｃは、０＜ｃ≦０．２を満足し、
ｙ、ａ及びｂは、０．８≦２ｙ＋ａ＋ｂ≦１．２を満足する請求項１に記載の正極活物質。
【請求項３】
前記組成式（１）が下記組成式（１−２）で表され、
Ｌｉ１＋ｘＮｂｙＦｅａＭｎｂＯ２―ｄＦｄ      （１−２）
ｘは、０＜ｘ＜１を満足し、
ｙは、０＜ｙ＜０．５を満足し、
ａ及びｂは、０．２５≦ａ＋ｂ＜１、０≦ａ＜１、０≦ｂ＜１を満足し、
ｄは、０＜ｄ≦０．２を満足し、
ｙ、ａ及びｂは、０．８≦２ｙ＋ａ＋ｂ≦１．２を満足する請求項１に記載の正極活物質。
【請求項４】
前記組成式（１）が下記組成式（１−３）で表され、
Ｌｉ１＋ｘＮｂｙＦｅａＭｎｂＡｃＯ２―ｄＦｄ      （１−３）
ＡはＢｅ、Ｍｇ、Ｃａ、Ｓｒ、Ｂａ、Ｒａ、Ｓｃ、Ｙ、Ｔｉ、Ｚｒ、Ａｌから選択され、
ｘは、０＜ｘ＜１を満足し、
ｙは、０＜ｙ＜０．５を満足し、
ａ及びｂは、０．２５≦ａ＋ｂ＜１、０≦ａ＜１、０≦ｂ＜１を満足し、
ｃは、０＜ｃ≦０．２を満足し、
ｄは、０＜ｄ≦０．２を満足し、
ｙ、ａ及びｂは、０．８≦２ｙ＋ａ＋ｂ≦１．２を満足する請求項１に記載の正極活物質。
【請求項５】
請求項１〜４のいずれか１項に記載の正極活物質を具備するリチウムイオン二次電池用正極。
【請求項６】
請求項１〜４のいずれか１項に記載の正極活物質を具備するリチウムイオン二次電池。
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
ハードウェア内で変換索引バッファ（ＴＬＢ）シュートダウンを指示および追跡するための方法であって、
１つ以上のプロセッサコアをそれぞれ備える１つ以上のプロセッサによって、第１プロセッサコア上で実行中のプロセスが１つ以上の仮想メモリページと以前に関連付けられた１つ以上の物理メモリアドレスとの関連性を失わせたことを検出するステップと、
前記第１プロセッサコアによって、ＴＬＢシュートダウン要求を生成するステップと、
前記第１プロセッサコアによって、前記ＴＬＢシュートダウン要求を前記１つ以上のプロセッサコアのうち他のプロセッサコアに送信するステップとを含み、
前記ＴＬＢシュートダウン要求は、
関連性が喪失され且つ前記他のプロセッサコアに対応するＴＬＢからフラッシュされる必要のある仮想メモリページを示すシュートダウンアドレスと、
前記他のプロセッサコアが前記ＴＬＢシュートダウン要求の処理完了を通知する場所を示す通知アドレスと、
識別情報とを含み、
前記他のプロセッサコアの識別情報が前記ＴＬＢシュートダウン要求に含まれる前記識別情報と一致し、且つ前記他のプロセッサコアのＴＬＢが前記ＴＬＢシュートダウン要求内の前記シュートダウンアドレスを含む場合、前記シュートダウンアドレスは、無効化され、
前記他のプロセッサコアの識別情報が前記ＴＬＢシュートダウン要求に含まれる前記識別情報と一致しない場合、前記シュートダウンアドレスは、無視される、方法。
【請求項２】
前記方法は、前記他のプロセッサコアが前記ＴＬＢシュートダウン要求の処理を完了した場合、前記他のプロセッサコアから通知を受信するステップをさらに含み、
前記通知は、前記通知アドレスで受信される、請求項１に記載の方法。
【請求項３】
前記１つ以上のプロセッサは、１つ以上の仮想マシンを実行し、
前記仮想マシンは、１つ以上の仮想コンピュータプロセッサ（ＶＣＰＵ）を含み、
前記プロセスは、前記１つ以上のＶＣＰＵ上で実行される第１プロセスである、請求項１または２に記載の方法。
【請求項４】
電力管理ユニットによって、前記ＴＬＢシュートダウン要求を受信した第２コアが低電力状態にあるか否かを判断するステップと、
前記第２コアが低電力状態にある場合、前記電力管理ユニットによって、前記ＴＬＢシュートダウン要求を通知するステップとをさらに含む、請求項１〜３のいずれか１項に記載の方法。
【請求項５】
高度なプログラム可能な割込みコントローラ（ＡＰＩＣ）によって、前記ＴＬＢシュートダウン要求を受信した第２コアが低電力状態にあるか否かを判断するステップと、
前記第２コアが低電力状態にある場合、前記ＡＰＩＣによって、前記ＴＬＢシュートダウン要求を通知するステップとをさらに含む、請求項１〜４のいずれか１項に記載の方法。
【請求項６】
前記識別情報は、構成要素の識別子を含み、
前記構成要素は、ＶＭ、前記ＶＭに含まれたＶＣＰＵ、プロセッサコア、および／または、ＶＣＰＵもしくはプロセッサコア内で実行されるプロセスのうち１種以上を含む、請求項３に記載の方法。
【請求項７】
前記識別情報によって識別された前記構成要素のすべてが前記ＴＬＢシュートダウン要求を通知するまで、前記識別された構成要素から受信した通知の数を追跡するステップと、
前記識別情報によって識別された前記構成要素のすべてから通知を受信した場合、前記第１プロセッサコアによって、前記ＴＬＢシュートダウン要求を完了するステップとをさらに含む、請求項６に記載の方法。
【請求項８】
ハードウェア内で変換索引バッファ（ＴＬＢ）シュートダウンを指示および追跡するためのシステムであって、
１つ以上のプロセッサを備え、各プロセッサは１つ以上のプロセッサコアを含み、
前記１つ以上のプロセッサは、
第１プロセッサコア上で実行中のプロセスが１つ以上の仮想メモリページと以前に関連付けられた１つ以上の物理メモリアドレスとの関連性を失わせたことを決定し、
ＴＬＢシュートダウン要求を生成し、
前記ＴＬＢシュートダウン要求を前記１つ以上のプロセッサコアのうち他のプロセッサコアに送信するように構成され、
前記ＴＬＢシュートダウン要求は、
関連性が喪失され且つ前記他のプロセッサコアに対応するＴＬＢからフラッシュされる必要のある仮想メモリページを示すシュートダウンアドレスと、
前記他のプロセッサコアが前記ＴＬＢシュートダウン要求の処理完了を通知する場所を示す通知アドレスと、
識別情報とを含み、
前記他のプロセッサコアの識別情報が前記ＴＬＢシュートダウン要求に含まれる前記識別情報と一致し、且つ前記他のプロセッサコアのＴＬＢが前記ＴＬＢシュートダウン要求内の前記シュートダウンアドレスを含む場合、前記シュートダウンアドレスは、無効化され、
前記他のプロセッサコアの識別情報が前記ＴＬＢシュートダウン要求に含まれる前記識別情報と一致しない場合、前記シュートダウンアドレスは、無視される、システム。
【請求項９】
前記１つ以上のプロセッサは、前記他のプロセッサコアが前記ＴＬＢシュートダウン要求の処理を完了した場合、前記他のプロセッサコアから通知を受信するように構成され、
前記通知は、前記通知アドレスで受信される、請求項８に記載のシステム。
【請求項１０】
前記１つ以上のプロセッサは、１つ以上の仮想マシンを実行するように構成され、
前記仮想マシンは、１つ以上の仮想コンピュータプロセッサ（ＶＣＰＵ）を含み、
前記プロセスは、前記１つ以上のＶＣＰＵ上で実行される第１プロセスである、請求項８または９に記載のシステム。
【請求項１１】
前記システムは、電力管理ユニットをさらに備え、
前記電力管理ユニットは、前記ＴＬＢシュートダウン要求を受信した第２コアが低電力状態にあるか否かを判断し、前記第２コアが低電力状態にある場合、前記ＴＬＢシュートダウン要求を通知するように構成される、請求項８〜１０のいずれか１項に記載のシステム。
【請求項１２】
高度なプログラム可能な割込みコントローラ（ＡＰＩＣ）をさらに備え、
前記ＡＰＩＣは、前記ＴＬＢシュートダウン要求を受信した第２コアが低電力状態にあるか否かを判断し、前記第２コアが低電力状態にある場合、前記ＴＬＢシュートダウン要求を通知するように構成される、請求項８〜１１のいずれか１項に記載のシステム。
【請求項１３】
前記識別情報は、構成要素の識別子を含み、
前記構成要素は、ＶＭ、前記ＶＭに含まれたＶＣＰＵ、プロセッサコア、および／または、ＶＣＰＵもしくはプロセッサコア内で実行されるプロセスのうち１種以上を含む、請求項１０に記載のシステム。
【請求項１４】
前記１つ以上のプロセッサは、前記識別情報によって識別された前記構成要素のすべてが前記ＴＬＢシュートダウン要求を通知するまで、前記識別された構成要素から受信した通知の数を追跡し、前記識別情報によって識別された前記構成要素のすべてから通知を受信した場合、前記ＴＬＢシュートダウン要求を完了するように構成される、請求項１３に記載のシステム。
【請求項１５】
請求項１〜７のいずれか１項に記載の方法をコンピュータに実行させる、プログラム。
【手続補正書】
【提出日】令和1年9月19日(2019.9.19)
【手続補正１】
【補正対象書類名】特許請求の範囲
【補正対象項目名】全文
【補正方法】変更
【補正の内容】
【特許請求の範囲】
【請求項１】
営業店端末機能をネットワーク経由で所定端末に提供するサーバであって、
前記所定端末から業務連携処理に関して受信した要求を格納する記憶装置と、
前記要求が示す連携対象業務に対応するホストに当該要求を送信して得た、前記ホストからの応答の所定属性に応じて前記記憶装置にて要求を参照し、当該要求の示す前記所定端末のアドレスおよび前記業務連携処理の対象となる業務システムに関する情報に基づき、前記所定端末とのセッション情報を特定し、当該セッション情報により前記所定端末におけるブラウザを指定して当該応答の表示用情報を送信する演算装置と、
を備えたチャネルサーバを含むことを特徴とする業務連携システム。
【請求項２】
前記演算装置は、
前記応答の所定属性が、業務連携処理の結果応答以外の所定処理に関する応答に対応したものである場合、前記記憶装置にて前記要求を参照せず、通信セッションを維持したままの前記所定端末におけるブラウザに、当該応答の表示用情報を送信するものである、
ことを特徴とする請求項１に記載の業務連携システム。
【請求項３】
営業店端末機能をネットワーク経由で所定端末に提供するサーバが、
前記所定端末から業務連携処理に関して受信した要求を格納し、
前記要求が示す連携対象業務に対応するホストに当該要求を送信して得た、前記ホストからの応答の所定属性に応じて前記記憶装置にて要求を参照し、
当該要求の示す前記所定端末のアドレスおよび前記業務連携処理の対象となる業務システムに関する情報に基づき、前記所定端末とのセッション情報を特定し、当該セッション情報により前記所定端末におけるブラウザを指定して当該応答の表示用情報を送信する、
ことを特徴とする業務連携方法。
【請求項４】
前記サーバが、
前記応答の所定属性が、業務連携処理の結果応答以外の所定処理に関する応答に対応したものである場合、前記記憶装置にて前記要求を参照せず、通信セッションを維持したままの前記所定端末におけるブラウザに、当該応答の表示用情報を送信する、
ことを特徴とする請求項３に記載の業務連携方法。
【手続補正２】
【補正対象書類名】明細書
【補正対象項目名】００１０
【補正方法】変更
【補正の内容】
【００１０】
上記課題を解決する本発明の業務連携システムは、営業店端末機能をネットワーク経由で所定端末に提供するサーバであって、前記所定端末から業務連携処理に関して受信した要求を格納する記憶装置と、前記要求が示す連携対象業務に対応するホストに当該要求を送信して得た、前記ホストからの応答の所定属性に応じて前記記憶装置にて要求を参照し、当該要求の示す前記所定端末のアドレスおよび前記業務連携処理の対象となる業務システムに関する情報に基づき、前記所定端末とのセッション情報を特定し、当該セッション情報により前記所定端末におけるブラウザを指定して当該応答の表示用情報を送信する演算装置と、を備えたチャネルサーバを含むことを特徴とする。
【手続補正３】
【補正対象書類名】明細書
【補正対象項目名】００１１
【補正方法】変更
【補正の内容】
【００１１】
また、本発明の業務連携方法は、営業店端末機能をネットワーク経由で所定端末に提供するサーバが、前記所定端末から業務連携処理に関して受信した要求を格納し、前記要求が示す連携対象業務に対応するホストに当該要求を送信して得た、前記ホストからの応答の所定属性に応じて前記記憶装置にて要求を参照し、当該要求の示す前記所定端末のアドレスおよび前記業務連携処理の対象となる業務システムに関する情報に基づき、前記所定端末とのセッション情報を特定し、当該セッション情報により前記所定端末におけるブラウザを指定して当該応答の表示用情報を送信する、ことを特徴とする。
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
車両の外部または内部を撮影した撮影データを取得する撮影データ取得部と、
イベント発生を検出するイベント検出部と、
前記車両の経路情報を取得する経路情報取得部と、
前記イベント検出部がイベント発生を検出したとき、前記イベントが発生する前の第１のタイミングから前記イベント発生時までの前記撮影データおよび、前記イベントが発生した時刻を含む期間に前記車両の利用者に通知された経路情報を含めたデータを、第一記録データとして記録する記録制御部と、を備える記録制御装置。
【請求項２】
前記経路情報は、進行方向情報、推奨車線情報、経由地情報、及び目的地情報のうち少なくとも一つを含む、請求項１に記載の記録制御装置。
【請求項３】
前記撮影データに前記経路情報を重畳させた重畳映像データを生成する重畳映像生成部をさらに備え、
前記記録制御部は、
前記重畳映像データを前記第一記録データとして記録する、請求項１または２に記載の記録制御装置。
【請求項４】
前記重畳映像生成部は、
前記経路情報を透過して前記撮影データに重畳させた重畳映像データを生成する、請求項３に記載の記録制御装置。
【請求項５】
前記記録制御部は、
前記イベント検出部が検出したイベントに起因せずに前記撮影データを記録する時は、前記撮影データを上書き可能な第二記録データとして記録し、前記イベント検出部が検出したイベントに起因して前記撮影データを記録する時は、前記撮影データに前記経路情報を含めたデータを、上書きを不可能な第一記録データとして記録する、請求項１乃至４のいずれか１項に記載の記録制御装置。
【請求項６】
前記撮影データ取得部に前記撮影データを供給する撮像部及び前記イベント検出部にイベント発生情報を供給するセンサの少なくとも一方をさらに備える、請求項１乃至５のいずれか１項に記載の記録制御装置。
【請求項７】
請求項１から６のいずれか１項に記載の記録制御装置と、
前記撮影データ取得部に撮影データを送出するカメラ、前記イベント検出部にイベント発生の検出対象となる情報を創出するセンサ、前記記録制御部が各種データを記録する記録部の少なくともいずれかを備える、記録装置。
【請求項８】
車両の外部または内部を撮影した撮影データを取得する撮影データ取得部と、
イベント発生を検出するイベント検出部と、
設定された目的地情報に基づいて前記車両の目的地までの経路を特定する経路設定部と、
前記経路設定部において生成された前記車両の経路情報を取得する経路情報取得部と、
前記イベント検出部がイベント発生を検出したとき、前記イベントが発生する前の第１のタイミングから前記イベント発生時までの前記撮影データおよび、前記イベントが発生した時刻を含む期間に前記車両の利用者に通知された経路情報を含めたデータを、第一記録データとして記録する記録制御部と、を備えるナビゲーション装置。
【請求項９】
車両の外部または内部を撮影した撮影データを取得し、
前記車両の経路情報を取得し、
イベント発生を検出し、
イベント発生が検出されたとき、前記イベントが発生する前の第１のタイミングから前記イベント発生時までの前記撮影データおよび、前記イベントが発生した時刻を含む期間に前記車両の利用者に通知された経路情報を含めたデータを、第一記録データとして記録する、記録装置における記録方法。
【請求項１０】
車両の外部または内部を撮影した撮影データを取得し、
前記車両の経路情報を取得し、
イベント発生を検出し、
イベント発生が検出されたとき、前記イベントが発生する前の第１のタイミングから前記イベント発生時までの前記撮影データおよび、前記イベントが発生した時刻を含む期間に前記車両の利用者に通知された経路情報を含めたデータを、第一記録データとして記録することをコンピュータに実行させるプログラム。
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
メソポーラス材料と、
前記メソポーラス材料の少なくとも内部に担持された触媒金属と、
アイオノマーと、を含む電気化学デバイスの電極触媒層であって、
前記メソポーラス材料は、
前記触媒金属を担持する前において、モード半径が１〜２５ｎｍで、細孔容積が１．０〜３．０ｃｍ３/ｇとなるメソ孔を有し、かつ該メソポーラス材料の平均粒径が２００ｎｍ以上、８００ｎｍ以下である、電気化学デバイスの電極触媒層。
【請求項２】
前記メソ孔の前記モード半径が３〜６ｎｍである請求項１に記載の電気化学デバイスの電極触媒層。
【請求項３】
メソポーラス材料と、
前記メソポーラス材料の少なくとも内部に担持された触媒金属と、
アイオノマーと、を含む電気化学デバイスの電極触媒層であって、
前記メソポーラス材料は、
前記触媒金属を担持する前において、モード半径が１〜２５ｎｍで、細孔容積が１．０〜３．０ｃｍ３/ｇとなるメソ孔を有し、かつ該メソポーラス材料の平均粒径が２００ｎｍ以上である、電気化学デバイスの電極触媒層において、
カーボンブラックおよびカーボンナノチューブのうち、少なくとも１つをさらに含む電気化学デバイスの電極触媒層。
【請求項４】
前記カーボンブラックがケッチェンブラックである請求項３に記載の電気化学デバイスの電極触媒層。
【請求項５】
前記メソポーラス材料がメソポーラスカーボンである請求項１から４のいずれか１項に記載の電気化学デバイスの電極触媒層。
【請求項６】
前記メソポーラスカーボンの重量に対する、前記触媒金属の重量比が０．６５〜１．５である請求項５に記載の電気化学デバイスの電極触媒層。
【請求項７】
含有されるカーボンの総重量に対する、前記アイオノマーの重量の比が０．７〜０．９である請求項５または６に記載の電気化学デバイスの電極触媒層。
【請求項８】
高分子電解質膜と、
前記高分子電解質膜の両側に設けられ、電極触媒層およびガス拡散層を含む燃料極および空気極と、を備え、
少なくとも前記空気極の前記電極触媒層は、請求項１から７のいずれか１項に記載の電気化学デバイスの電極触媒層からなる膜／電極接合体。
【請求項９】
請求項８に記載の膜／電極接合体を用いた電気化学デバイス。
【請求項１０】
メソポーラス材料と、前記メソポーラス材料の少なくとも内部に担持された触媒金属と、アイオノマーと、を含む電気化学デバイスの電極触媒層の製造方法であって、
モード半径が１〜２５ｎｍで、細孔容積が１．０〜３．０ｃｍ３/ｇとなるメソ孔を有し、かつ前記メソポーラス材料の平均粒径が２００ｎｍ以上、８００ｎｍ以下である前記メソポーラス材料を準備する工程と、
前記メソポーラス材料の内部に前記触媒金属を担持させて触媒を作製する工程と、
前記触媒と、溶媒と、アイオノマーと、を含む材料を混合して触媒インクを作製する工程と、
前記触媒インクを基材上に塗布する工程と、
を含む、電気化学デバイスの電極触媒層の製造方法。
【請求項１１】
前記メソ孔の前記モード半径が３〜６ｎｍである請求項１０に記載の電気化学デバイスの電極触媒層の製造方法。
【請求項１２】
メソポーラス材料と、前記メソポーラス材料の少なくとも内部に担持された触媒金属と、アイオノマーと、を含む電気化学デバイスの電極触媒層の製造方法であって、
モード半径が１〜２５ｎｍで、細孔容積が１．０〜３．０ｃｍ３/ｇとなるメソ孔を有し、かつ前記メソポーラス材料の平均粒径が２００ｎｍ以上である前記メソポーラス材料を準備する工程と、
前記メソポーラス材料の内部に前記触媒金属を担持させて触媒を作製する工程と、
前記触媒と、溶媒と、アイオノマーと、を含む材料を混合して触媒インクを作製する工程と、
前記触媒インクを基材上に塗布する工程と、
を含む、電気化学デバイスの電極触媒層の製造方法において、
前記材料は、さらに、カーボンブラックおよびカーボンナノチューブのうち、少なくとも１つを含む電気化学デバイスの電極触媒層の製造方法。
【請求項１３】
前記カーボンブラックがケッチェンブラックである請求項１２に記載の電気化学デバイスの電極触媒層の製造方法。
【請求項１４】
前記メソポーラス材料がメソポーラスカーボンである請求項１０から１３のいずれか１項に記載の電気化学デバイスの電極触媒層の製造方法。
【請求項１５】
前記メソポーラスカーボンの重量に対する、前記触媒金属の重量比が０．６５〜１．５である請求項１４に記載の電気化学デバイスの電極触媒層の製造方法。
【請求項１６】
含有されるカーボンの総重量に対する、前記アイオノマーの重量の比が０．７〜０．９である請求項１５に記載の電気化学デバイスの電極触媒層の製造方法。
【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
画像データ群から選択された画像データに基づく画像をレイアウトしたレイアウト画像データを生成する生成手段と、
前記生成手段により生成されたレイアウト画像データに基づいてレイアウト画像を表示部に表示させる表示制御手段と、
を備え、
前記生成手段は、表紙に対応するレイアウト画像データ及び本身に対応するレイアウト画像データを生成し、
前記生成手段が表紙に対応するレイアウト画像データを生成した場合、前記表示制御手段は、前記表紙に対応するレイアウト画像データに基づいて、表紙のレイアウト画像を前記表示部に表示させ、
前記生成手段は、前記表紙のレイアウト画像の表示のバックグラウンドで、前記本身に対応するレイアウト画像データを生成することを特徴とする画像処理装置。
【請求項２】
前記表示制御手段は、前記レイアウト画像を編集するための編集画面に、前記表紙のレイアウト画像を表示し、
前記編集画面は、ユーザの指示を受ける操作部を有することを特徴とする請求項１に記載の画像処理装置。
【請求項３】
前記生成手段は、前記画像データ群から選択された画像データに基づく画像を表紙用のテンプレート上の写真スロットに配置して、前記表紙に対応するレイアウト画像データを生成することを特徴とする請求項１又は２に記載の画像処理装置。
【請求項４】
前記生成手段は、前記画像データ群から選択された画像データに基づく画像を本身用のテンプレート上の写真スロットに配置して、前記本身に対応するレイアウト画像データを生成することを特徴とする請求項１乃至３の何れか１項に記載の画像処理装置。
【請求項５】
前記表示制御手段は、前記生成手段が前記表紙に対応するレイアウト画像データの生成を完了するまでの進捗を示す画面を表示し、該表紙に対応するレイアウト画像データの生成が完了すると、該画面を消去して前記表紙のレイアウト画像を前記表示部に表示させることを特徴とする請求項１乃至４の何れか１項に記載の画像処理装置。
【請求項６】
前記表示制御手段は、
前記表紙のレイアウト画像の表示後に、該表紙のレイアウト画像を補正した補正後のレイアウト画像を表示することを特徴とする請求項１乃至５の何れか１項に記載の画像処理装置。
【請求項７】
前記表示制御手段は、前記生成手段が本身に対応するレイアウト画像データを生成した場合、該本身に対応するレイアウト画像データに基づいて、前記本身のレイアウト画像を前記表示部に表示させることを特徴とする請求項１乃至６の何れか１項に記載の画像処理装置。
【請求項８】
前記表示制御手段は、前記本身のレイアウト画像の表示を指示する切替部を表示し、
前記切替部は、前記生成手段による本身に対応するレイアウト画像データの生成が完了するまでは無効化されており、前記生成手段による本身に対応するレイアウト画像データの生成が完了すると有効化されることを特徴とする請求項１乃至７の何れか１項に記載の画像処理装置。
【請求項９】
前記生成手段は、
前記画像データ群から選択された画像データに基づく画像の一部を文字入力領域と重ねたレイアウト画像データを生成する場合、該文字入力領域に該画像データに基づく画像内に含まれる顔が重複しないように前記レイアウト画像データを生成することを特徴とする請求項１乃至８の何れか１項に記載の画像処理装置。
【請求項１０】
画像データ群から選択された画像データに基づく画像をレイアウトしたレイアウト画像データを生成する生成工程と、
前記生成工程において生成されたレイアウト画像データに基づいてレイアウト画像を表示部に表示させる表示制御工程と、
を備え、
前記生成工程では、表紙に対応するレイアウト画像データ及び本身に対応するレイアウト画像データを生成し、
前記生成工程において表紙に対応するレイアウト画像データを生成した場合、前記表示制御工程では、前記表紙に対応するレイアウト画像データに基づいて、表紙のレイアウト画像を前記表示部に表示させ、
前記生成工程では、前記表紙のレイアウト画像の表示のバックグラウンドで、前記本身に対応するレイアウト画像データを生成することを特徴とする画像処理方法。
【請求項１１】
コンピュータを、請求項１乃至９の何れか１項に記載の画像処理装置の各手段として機能させるためのコンピュータプログラム。
【手続補正書】
【提出日】平成30年11月26日(2018.11.26)
【手続補正１】
【補正対象書類名】特許請求の範囲
【補正対象項目名】全文
【補正方法】変更
【補正の内容】
【特許請求の範囲】
【請求項１】
画像群から、アルバムの表紙にレイアウトする表紙画像を、第１の選択条件に基づいて選択する第１の選択手段と、
前記画像群から、前記アルバムの裏表紙にレイアウトする裏表紙画像を、前記第１の選択条件とは異なる第２の選択条件に基づいて選択する第２の選択手段と、
前記表紙画像を表紙にレイアウトし、前記裏表紙画像を裏表紙にレイアウトしたアルバムを生成する生成手段と
を備えることを特徴とする画像処理装置。
【請求項２】
前記第１の選択手段は、前記画像群から、前記アルバムにおいて第１のスロットに配置する画像として選択する基準に応じて前記表紙画像を選択し、
前記第２の選択手段は、前記画像群から、前記アルバムにおいて前記第１のスロットよりも小さい第２のスロットに配置する画像として選択する基準に応じて前記裏表紙画像を選択することを特徴とする請求項１に記載の画像処理装置。
【請求項３】
前記第２の選択手段は、前記画像群から、前記アルバムにおいて第１のスロットに配置する画像として選択する基準に応じて前記裏表紙画像を選択し、
前記第１の選択手段は、前記画像群から、前記アルバムにおいて前記第１のスロットよりも小さい第２のスロットに配置する画像として選択する基準に応じて前記表紙画像を選択することを特徴とする請求項１に記載の画像処理装置。
【請求項４】
前記第１の選択手段は、前記画像群のうち規定のシーンの画像として分類された画像から、前記アルバムにおいて第１のスロットに配置する画像として選択する基準に応じて前記表紙画像を選択し、
前記第２の選択手段は、前記画像群のうち前記規定のシーンの画像として分類された画像から、前記アルバムにおいて前記第１のスロットよりも小さい第２のスロットに配置する画像として選択する基準に応じて前記裏表紙画像を選択することを特徴とする請求項１に記載の画像処理装置。
【請求項５】
前記第２の選択手段は、前記画像群のうち規定のシーンの画像として分類された画像から、前記アルバムにおいて第１のスロットに配置する画像として選択する基準に応じて前記裏表紙画像を選択し、
前記第１の選択手段は、前記画像群のうち前記規定のシーンの画像として分類された画像から、前記アルバムにおいて前記第１のスロットよりも小さい第２のスロットに配置する画像として選択する基準に応じて前記表紙画像を選択することを特徴とする請求項１に記載の画像処理装置。
【請求項６】
前記第１の選択手段は、前記画像群のうち人物を含む画像を前記表紙画像として選択し、
前記第２の選択手段は、前記画像群のうち人物を含まない画像を前記裏表紙画像として選択することを特徴とする請求項１に記載の画像処理装置。
【請求項７】
前記第１の選択手段及び前記第２の選択手段は、前記表紙及び前記裏表紙で１ページとする表紙ページにレイアウトされる画像の枚数が、前記アルバムの見開きの数、若しくは前記アルバムの商材、に応じた枚数となるように画像を選択することを特徴とする請求項１に記載の画像処理装置。
【請求項８】
前記第１の選択手段は、前記アルバムの見開きの数を最大数とし、それ以下の表紙画像を選択することを特徴とする請求項１に記載の画像処理装置。
【請求項９】
前記第１の選択手段及び前記第２の選択手段は、前記画像群の撮像期間を複数の分割期間に分割した場合に、それぞれ異なる分割期間から画像を選択することを特徴とする請求項１に記載の画像処理装置。
【請求項１０】
前記第１の選択手段及び前記第２の選択手段は、前記画像群の撮像期間を複数の分割期間に分割した場合に、同じ分割期間から画像を選択することを特徴とする請求項１に記載の画像処理装置。
【請求項１１】
画像処理装置が行う画像処理方法であって、
画像群から、アルバムの表紙にレイアウトする表紙画像を、第１の選択条件に基づいて選択する第１の選択工程と、
前記画像群から、前記アルバムの裏表紙にレイアウトする裏表紙画像を、前記第１の選択条件とは異なる第２の選択条件に基づいて選択する第２の選択工程と、
前記表紙画像を表紙にレイアウトし、前記裏表紙画像を裏表紙にレイアウトしたアルバムを生成する生成工程と
を備えることを特徴とする画像処理方法。
【請求項１２】
コンピュータを、請求項１乃至１０の何れか１項に記載の画像処理装置の各手段として機能させるためのコンピュータプログラム。
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
複数の入力画像を用いて合成画像を作成するための表示を制御する画像処理装置であって、
前記合成画像の座標系における各画素に、前記複数の入力画像を識別する情報を有するＩＤマップを設定する設定手段と、
前記ＩＤマップに基づき前記合成画像と前記ＩＤマップとを重畳することにより得られる表示画像を表示手段に表示させる表示制御手段と、
前記合成画像と重畳して表示されている前記ＩＤマップに対するユーザ入力を取得する取得手段と
を有し、
前記表示制御手段は、前記ユーザ入力に応じた前記表示画像を表示させることを特徴とする画像処理装置。
【請求項２】
前記設定手段は、前記ユーザ入力に応じて前記ＩＤマップにおける少なくとも一部の識別情報を変更することを特徴とする請求項１に記載の画像処理装置。
【請求項３】
さらに、前記複数の入力画像を用いて前記合成画像を作成する作成手段と、を有し、
前記表示制御手段は、前記作成手段から前記合成画像を受け取ることを特徴とする請求項１または２に記載の画像処理装置。
【請求項４】
前記作成手段は、前記ユーザ入力に応じて前記合成画像を更新することを特徴とする請求項３に記載の画像処理装置。
【請求項５】
前記ＩＤマップにおける各画素の識別情報と前記合成画像における各画素は対応することを特徴とする請求項１乃至４のいずれか１項に記載の画像処理装置。
【請求項６】
前記ユーザ入力は、ドラッグ操作であることを特徴とする請求項１乃至５のいずれか１項に記載の画像処理装置。
【請求項７】
前記設定手段は、前記ドラッグ操作の開始点に対応する画素の識別情報を用いて前記ドラッグ操作の軌跡部分における画素の識別情報を置き換えることにより、前記ＩＤマップを変更することを特徴とする請求項６に記載の画像処理装置。
【請求項８】
前記設定手段は、前記ドラッグ操作の開始点に対応する画素の識別情報を用いて前記ドラッグ操作の軌跡部分における画素の識別情報を置き換えた結果、新たに閉領域を形成した場合に、前記ドラッグ操作の軌跡部分と前記閉領域との両方における画素の識別情報を前記開始点に対応する画素の識別情報で置き換えることにより、前記ＩＤマップを変更することを特徴とする請求項７に記載の画像処理装置。
【請求項９】
前記設定手段は、前記ドラッグ操作の軌跡が前記合成画像におけるエッジにほぼ沿っていると判定した場合に、前記ドラッグ操作の軌跡を前記エッジと一致するよう補正し、補正後の軌跡に基づき前記ＩＤマップを変更することを特徴とする請求項６乃至８のいずれか１項に記載の画像処理装置。
【請求項１０】
前記複数の入力画像を前記合成画像の座標系にマッピングして各入力画像の写像を取得するマッピング手段を有し、
前記作成手段は、前記写像をつなぎ合わせることにより前記合成画像を作成し、前記写像をつなぎ合わせる際に、前記写像の重複部分において前記複数の入力画像のうちどの入力画像の写像を用いるかを前記ＩＤマップに基づき決定する
ことを特徴とする請求項３又は４に記載の画像処理装置。
【請求項１１】
前記設定手段は、前記ユーザ入力であるドラッグ操作の開始点に対応する画素の識別情報に置き換えることが可能な領域を、前記開始点に対応する画素の識別情報に対応する入力画像の写像の範囲内に制限することを特徴とする請求項１０に記載の画像処理装置。
【請求項１２】
前記表示制御手段は、前記写像を、前記合成画像及び前記ＩＤマップとは別の画像表示領域で表示させることを特徴とする請求項１０に記載の画像処理装置。
【請求項１３】
前記表示制御手段は、前記ＩＤマップを、各ＩＤ値の領域が区別できるように表示させることを特徴とする請求項１乃至１２のいずれか１項に記載の画像処理装置。
【請求項１４】
前記表示制御手段は、前記合成画像と前記ＩＤマップとを有彩色と無彩色の別をつけて、あるいは、色相または明るさが重ならないように表示させることを特徴とする請求項１乃至１３のいずれか１項に記載の画像処理装置。
【請求項１５】
前記設定手段は、前記ドラッグ操作の開始点に対応する画素の識別情報を、前記ドラッグ操作の軌跡部分の画素に対して追加することにより、前記ＩＤマップを変更することを特徴とする請求項６に記載の画像処理装置。
【請求項１６】
前記入力画像のうち少なくとも１つは動画を構成するフレーム画像であり、前記設定手段によるＩＤマップの変更は、前記フレーム画像以降の時刻に対応する全てのフレーム画像に対して適用されることを特徴とする請求項１乃至１５のいずれか１項に記載の画像処理装置。
【請求項１７】
複数の入力画像を用いて合成画像を作成するための表示を制御する画像処理方法であって、
前記合成画像の座標系における各画素に、前記複数の入力画像を識別する情報を有するＩＤマップを設定する設定工程と、
前記ＩＤマップに基づき前記合成画像と前記ＩＤマップとを重畳することにより得られる表示画像を表示手段に表示させる表示制御工程と、
前記合成画像と重畳して表示されている前記ＩＤマップに対するユーザ入力を取得する取得工程と、
を含み、
前記表示制御工程は、前記ユーザ入力に応じた前記表示画像を表示させることを特徴とする画像処理方法。
【請求項１８】
コンピュータを、請求項１乃至７のいずれか１項に記載の画像処理装置として機能させるためのプログラム。
【手続補正２】
【補正対象書類名】明細書
【補正対象項目名】０００８
【補正方法】変更
【補正の内容】
【０００８】
本発明に係る画像処理装置は、複数の入力画像を用いて合成画像を作成するための表示を制御する画像処理装置であって、前記合成画像の座標系における各画素に、前記複数の入力画像を識別する情報を有するＩＤマップを設定する設定手段と、前記ＩＤマップに基づき前記合成画像と前記ＩＤマップとを重畳することにより得られる表示画像を表示手段に表示させる表示制御手段と、前記合成画像と重畳して表示されている前記ＩＤマップに対するユーザ入力を取得する取得手段とを有し、前記表示制御手段は、前記ユーザ入力に応じた前記表示画像を表示させることを特徴とする。
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
仮想物体に対する移動指示を受け付ける移動指示受付手段と、
前記移動指示受付手段で受け付けた移動指示による移動量を、移動指示を受け付けた仮想物体とユーザとの距離に応じて決定する移動量決定手段と、
前記移動量決定手段で決定された移動量を用いて、前記移動指示受付手段で移動指示を受け付けた仮想物体を移動する仮想物体移動手段と、
を備えることを特徴とする情報処理システム。
【請求項２】
前記移動量決定手段は、前記移動指示受付手段で受け付けた移動指示が示す移動量を前記仮想物体とユーザとの距離に応じて補正することで、前記仮想物体移動手段により用いられる移動量を決定することを特徴とする請求項１に記載の情報処理システム。
【請求項３】
前記ユーザの仮想空間上の視点位置と当該仮想空間における前記仮想物体との距離を算出する算出手段
を備え、
前記移動量決定手段は、前記移動指示受付手段で受け付けた移動指示が示す移動量を、前記算出手段により算出された、前記移動指示を受け付けた仮想物体と前記ユーザの視点位置との距離に応じて決定することを特徴とする請求項１又は２に記載の情報処理システム。
【請求項４】
前記ユーザの位置とは、前記ユーザが現実空間で装着するヘッドマウントディスプレイの位置であることを特徴とする請求項１乃至３のいずれか１項に記載の情報処理システム。
【請求項５】
前記移動量決定手段は、前記ユーザと前記仮想物体の距離が短ければ短いほど、前記移動量が小さくなるように補正することを特徴とする請求項１乃至４のいずれか１項に記載の情報処理システム。
【請求項６】
情報処理システムの制御方法であって、
移動指示受付手段が、仮想物体に対する移動指示を受け付ける移動指示受付ステップと、
移動量決定手段が、前記移動指示受付ステップで受け付けた移動指示による移動量を、移動指示を受け付けた仮想物体とユーザとの距離に応じて決定する移動量決定ステップと、
前記移動量決定ステップで決定された移動量を用いて、前記移動指示受付ステップで移動指示を受け付けた仮想物体を移動する仮想物体移動ステップと
を含む制御方法。
【請求項７】
情報処理システムを、
仮想物体に対する移動指示を受け付ける移動指示受付手段と、
前記移動指示受付手段で受け付けた移動指示による移動量を、移動指示を受け付けた仮想物体とユーザとの距離に応じて決定する移動量決定手段と、
前記移動量決定手段で決定された移動量を用いて、前記移動指示受付手段で移動指示を受け付けた仮想物体を移動する仮想物体移動手段
として機能させることを特徴とするプログラム。
【請求項８】
仮想物体に対する移動指示を受け付ける移動指示受付手段と、
前記移動指示受付手段で受け付けた移動指示による移動量を、移動指示を受け付けた仮想物体とユーザとの距離に応じて決定する移動量決定手段と、
前記移動量決定手段で決定された移動量を用いて、前記移動指示受付手段で移動指示を受け付けた仮想物体を移動する仮想物体移動手段と、
を備えることを特徴とする情報処理装置。
【請求項９】
情報処理装置の制御方法であって、
移動指示受付手段が、仮想物体に対する移動指示を受け付ける移動指示受付ステップと、
移動量決定手段が、前記移動指示受付ステップで受け付けた移動指示による移動量を、移動指示を受け付けた仮想物体とユーザとの距離に応じて決定する移動量決定ステップと、
仮想物体移動手段が、前記移動量決定ステップで決定された移動量を用いて、前記移動指示受付ステップで移動指示を受け付けた仮想物体を移動する仮想物体移動ステップと、
を含む制御方法。
【請求項１０】
情報処理装置を、
仮想物体に対する移動指示を受け付ける移動指示受付手段と、
前記移動指示受付手段で受け付けた移動指示による移動量を、移動指示を受け付けた仮想物体とユーザとの距離に応じて決定する移動量決定手段と、
前記移動量決定手段で決定された移動量を用いて、前記移動指示受付手段で移動指示を受け付けた仮想物体を移動する仮想物体移動手段として機能させるためのプログラム。
【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
編集された編集画像と当該編集画像に対応するアノテーションの属性とを取得可能な情報処理装置であって、
複数の前記編集画像を閲覧可能に表示する表示手段と、
前記表示手段で表示された複数の編集画像から参照する編集画像に対応する指定を受け付ける指定受付手段と、
前記指定受付手段により指定を受け付けた編集画像に対応するアノテーションの属性を取得する属性取得手段と、
前記属性取得手段により取得されたアノテーションの属性を用いて、編集先の画像にアノテーションを追加する追加手段と
を備えることを特徴とする情報処理装置。
【請求項２】
前記属性取得手段により取得されたアノテーションの属性を用いて、前記編集先の画像に追加するアノテーションの属性設定画面に設定する設定手段を更に備え、
前記追加手段は、前記設定手段により属性設定画面に設定された属性に従い、ユーザの操作に応じて編集先の画像にアノテーションを追加することを特徴とする請求項１に記載の情報処理装置。
【請求項３】
部位を選択する部位選択手段と、
前記部位選択手段により選択された部位に対応する編集画像を取得する第１の編集画像取得手段と
を更に備え、
前記表示手段は、前記第１の編集画像取得手段により取得された編集画像を閲覧可能に表示することを特徴とする請求項１又は請求項２に記載の情報処理装置。
【請求項４】
アノテーションの属性を選択する属性選択手段と、
前記属性選択手段により選択された属性のアノテーションにより編集された編集画像を取得する第２の編集画像取得手段と
を更に備え、
前記表示手段は、前記第２の編集画像取得手段により取得された編集画像を閲覧可能に表示することを特徴とする請求項１乃至３のいずれか１項に記載の情報処理装置。
【請求項５】
前記編集画像は評価情報と対応付いており、
前記表示手段は、前記評価情報に従って編集画像を閲覧可能に表示することを特徴とする請求項１乃至４のいずれか１項に記載の情報処理装置。
【請求項６】
前記編集画像はコメント情報と対応付いており、
前記指定受付手段により指定を受け付けた編集画像に対応するコメント情報に基づいて入力する入力手段
を更に備えることを特徴とする請求項１乃至５のいずれか１項に記載の情報処理装置。
【請求項７】
編集された編集画像と当該編集画像に対応するアノテーションの属性をと管理する管理装置と情報処理装置を含む情報処理システムであって、
前記管理装置は、
前記情報処理装置からの要求に従って、前記編集画像と当該編集画像に対応する前記アノテーションの属性を送信する送信手段と
を備え、
前記情報処理装置は、
前記管理装置から前記編集画像と前記アノテーションの属性を受信する受信手段と、
前記受信手段で受信した複数の前記編集画像を閲覧可能に表示する表示手段と、
前記表示手段で表示された複数の編集画像から参照する編集画像に対応する指定を受け付ける指定受付手段と、
前記指定受付手段により指定を受け付けた編集画像に対応するアノテーションの属性を取得する属性取得手段と、
前記属性取得手段により取得されたアノテーションの属性を用いて、編集先の画像にアノテーションを追加する追加手段と
を備えることを特徴とする情報処理システム。
【請求項８】
アノテーション追加による編集画像と当該編集画像で用いたアノテーションの属性とを取得可能な情報処理装置の処理方法であって、
複数の前記編集画像を閲覧可能に表示する表示ステップと、
前記表示ステップで表示された複数の編集画像から参照する編集画像に対応する指定を受け付ける指定受付ステップと、
前記指定受付ステップにより指定を受け付けた編集画像に対応するアノテーションの属性を取得する属性取得ステップと、
前記属性取得ステップにより取得されたアノテーションの属性を用いて、編集先の画像にアノテーションを追加する追加ステップと
を含むことを特徴とする処理方法。
【請求項９】
編集された編集画像と当該編集画像に対応するアノテーションの属性をと管理する管理装置と情報処理装置を含む情報処理システムの処理方法であって、
前記管理装置は、
前記情報処理装置からの要求に従って、前記編集画像と当該編集画像に対応する前記アノテーションの属性を送信する送信ステップと
を含み、
前記情報処理装置は、
前記管理装置から前記編集画像と前記アノテーションの属性を受信する受信ステップと、
前記受信ステップで受信した複数の前記編集画像を閲覧可能に表示する表示ステップと、
前記表示ステップで表示された複数の編集画像から参照する編集画像に対応する指定を受け付ける指定受付ステップと、
前記指定受付ステップにより指定を受け付けた編集画像に対応するアノテーションの属性を取得する属性取得ステップと、
前記属性取得ステップにより取得されたアノテーションの属性を用いて、編集先の画像にアノテーションを追加する追加ステップと
を含むことを特徴とする処理方法。
【請求項１０】
編集された編集画像と当該編集画像に対応するアノテーションの属性とを取得可能な情報処理装置のプログラムであって、
前記情報処理装置を、
複数の前記編集画像を閲覧可能に表示する表示手段と、
前記表示手段で表示された複数の編集画像から参照する編集画像に対応する指定を受け付ける指定受付手段と、
前記指定受付手段により指定を受け付けた編集画像に対応するアノテーションの属性を取得する属性取得手段と、
前記属性取得手段により取得されたアノテーションの属性を用いて、編集先の画像にアノテーションを追加する追加手段
として機能させるためのプログラム。
【手続補正２】
【補正対象書類名】明細書
【補正対象項目名】発明の名称
【補正方法】変更
【補正の内容】
【発明の名称】情報処理装置と情報処理システムと、その処理方法及びプログラム